(57)【要約】      （修正有）【課題】従来技術の釣り針に対して、工業的規模での生産に適しており、かつ、通常のフックした先端に針先が設けられた釣り針と同程度の強度を有する、魚のバラシを防ぐことができる釣り針を提供する。【解決手段】先端部１０と、先端部１０から延伸した略Ｕ字状のフック部２０と、フック部２０から延伸した基部３０とを備えた釣り針１であって、基部３０が２個以上の糸取付部４１、５１を備える。【選択図】図１
0003202867.tif 000002
【実用新案登録請求の範囲】
【請求項１】
先端部と、該先端部から延伸した略Ｕ字状のフック部と、該フック部から延伸した基部とを備えた釣り針であって、
前記基部が２個以上の糸取付部を備える、前記釣り針。
【請求項２】
前記糸取付部は、それぞれ独立して環状、凹状又は凸状である、請求項１に記載の釣り針。
【請求項３】
前記糸取付部は第１の糸取付部及び第２の糸取付部からなり、該第１の糸取付部は前記基部の中程に備えられ、かつ、該第２の糸取付部は前記基部の後端側に備えられる、請求項１又は２に記載の釣り針。
【請求項４】
前記第１の糸取付部は、前記基部において、前記先端部と同程度又は前記先端部より低い位置で備えられる、請求項３に記載の釣り針。
【考案の詳細な説明】
【技術分野】
【０００１】
本考案は、川や海などで使用される魚釣り用の釣り針に関する。
【背景技術】
【０００２】
釣り針の多くは、先端部において、針先に加えて返し（戻り）と呼ばれる突起部が設けられている。これにより、魚の口内に飲み込まれた釣り針は、魚の口から抜けて魚が逃げてしまうこと（バラシ）が起きないようになっていた。しかし、返しが魚の口内に刺さらないことや魚の力が強くて返しが外れることがあり、釣り針が魚の口から吐き出されてしまい、釣った魚が逃げることがよくあった。
【０００３】
魚のバラシを防ぐ釣り針として、２本以上の針を結合したものが知られている。しかし、２本以上の釣り針を結合したものは、構造が複雑になることに加えて寸法も大きくなり、魚の口に入り難いという問題がある。
【０００４】
そこで、魚のバラシを防ぐ目的で作製された１本の釣り針として、例えば、特許文献１に記載の釣り針がある。特許文献１に記載の釣り針は、針先と針本体とが環のように成形されており、略スナップフック状の釣り針である。
【先行技術文献】
【特許文献】
【０００５】
【特許文献１】特開２０００−３１２５４６号公報
【考案の概要】
【考案が解決しようとする課題】
【０００６】
しかし、特許文献１に記載の釣り針は、針先と針本体とを環のように成形しなければならず工業的規模での生産に不適という問題があり、さらに弾性的に変位可能な部位があることから強度に問題がある。
【０００７】
そこで、本考案は、特許文献１に記載の釣り針に対して、工業的規模での生産に適しており、かつ、通常のフックした先端に針先が設けられた釣り針と同程度の強度を有する、魚のバラシを防ぐことができる釣り針を提供することを、考案が解決しようとする課題とする。
【課題を解決するための手段】
【０００８】
本考案者らは、上記課題を解決するために鋭意検討するうちに、釣り針が魚の口の中で自由に動くことにより魚のバラシが生じることに着眼するに至った。特に、釣り針の針本体が釣り糸を取り付けた糸取付部を支点にして、針先側及び針先とは逆の針本体の背側に動くことから、魚のバラシが生じることに着眼した。そこで、本考案者らは、この動きを防ぐことができれば魚のバラシを解消できると考え、さらなる検討を積み重ねて、種々の試作品を作製して試行錯誤したところ、針本体の後端部及び針先と同程度の高さの２箇所に糸取付部を設けたところ、てこの原理により釣り針が動くのを防ぐことに成功した。本考案は、このような成功例に基づいて完成された考案である。
【０００９】
したがって、本考案によれば、先端部と、該先端部から延伸した略Ｕ字状のフック部と、該フック部から延伸した基部とを備えた釣り針であって、
前記基部が２個以上の糸取付部を備える、前記釣り針が提供される。
【００１０】
本考案の釣り針において、好ましくは、前記糸取付部は、それぞれ独立して環状、凹状又は凸状である。
【００１１】
本考案の釣り針において、好ましくは、前記糸取付部は第１の糸取付部及び第２の糸取付部からなり、該第１の糸取付部は前記基部の中程に備えられ、かつ、該第２の糸取付部は前記基部の後端側に備えられる。
【００１２】
本考案の釣り針において、好ましくは、前記第１の糸取付部は、前記基部において、前記先端部と同程度又は前記先端部より低い位置で備えられる。
【考案の効果】
【００１３】
本考案の釣り針は、基本的な構造はフックした先端に針先が設けられた従前の釣り針に基づいていることから、工業的規模での生産に適しており、かつ、強度が安定した釣り針でありながら、魚のバラシを防ぐことができるものである。また、本考案の釣り針は、従前の釣り針に対して、取付箇所は増えてはいるものの、釣り糸を取り付ける作業はほとんど変わらない。
【００１４】
したがって、本考案の釣り糸によれば、従前の釣り糸と同様に製造及び使用できるものでありながら、魚の口から抜け難いことから、魚をばらす虞が少ないという優れた効果を奏するものである。
【図面の簡単な説明】
【００１５】
【図１】図１は、本考案の釣り針の一実施態様の側面図である。
【図２】図２は、本考案の釣り針の一実施態様の正面図である。
【図３】図３は、本考案の釣り針の一実施態様の正面図である。
【図４】図４は、本考案の釣り針の一実施態様の側面図である。
【図５】図５は、本考案の釣り針の一実施態様の側面図である。
【図６】図６は、本考案の釣り針の一実施態様の側面図である。
【図７】図７は、本考案の釣り針の一実施態様の側面図である。
【図８】図８は、本考案の釣り針の一実施態様の斜視図である。
【図９】図９は、本考案の３本釣り針の一実施態様の斜視図である。
【考案を実施するための形態】
【００１６】
以下に、本考案の釣り針を、図１〜図９を参照して具体的に説明するが、本考案はこれらの図において具現化されているものに限定されない。
【００１７】
図１に、本考案の釣り針の非限定的な第１の態様を示す。釣り針１は、先端部１０と、該先端部から延伸した略Ｕ字状のフック部２０と、該フック部から延伸した基部３０とを備える。先端部１０は針先１１及び返し１２を備える。釣り針１を使用する際には、ミミズやゴカイなどの動物や練り餌などの通常用いられている魚釣り用の餌を先端部１０に取り付ける。返し１２は、釣り針１を飲み込んだ魚を逃さないためにあることが好ましいが、なくてもよい。
【００１８】
釣り針１は、さらに基部３０において２個の糸取付部を備える。ただし、本考案の釣り針において、糸取付部の数は２個以上であれば特に限定されず、例えば、２個又は３個以上であり得る。
【００１９】
第１の糸取付部４１は基部３０の中程に位置する。第２の糸取付部５１は基部３０の後端側に位置する。第１の糸取付部４１と第２の糸取付部５１との間の距離は特に限定されないが、例えば、第２の糸取付部５１の中心点Ｂとフック部２０の下端点Ｃとの間の距離Ｂ−Ｃが１００とすると、第２の糸取付部５１の中心点Ｂと第１の糸取付部４１の中心点Ａとの間の距離Ｂ−Ａは１０〜１００であり、好ましくは該距離Ｂ−Ｃが１００とすると該距離Ｂ−Ａは５０〜１００である。例えば、該距離Ｂ−Ｃが２．５ｃｍである場合、該距離Ｂ−Ａは１ｃｍ〜２．５ｃｍであることが好ましい。距離Ｂ−Ａがあまりにも小さいと、釣り針１を使用して魚を捕まえたとしても、魚のバラシが起こり易くなる。
【００２０】
釣り針１において、第１の糸取付部４１は、基部３０において、先端部１０にある針先１１と同程度又は針先１１より低い位置で備えられることが好ましい。ここで、針先１１と同程度の位置とは、針先１１と同一の位置及び針先１１よりも若干高い位置を包含する。第１の糸取付部４１が針先１１よりあまりにも高い位置にあると、釣り針１を使用して魚を捕まえたとしても、魚のバラシが起こり易くなる。
【００２１】
釣り針１において、第２の糸取付部５１は、基部３０の後端側に備えられれば特に限定されず、例えば、基部３０の後端部でもよく、基部３０において後端部からフック部２０に向けて離れた位置に備えられてもよい。
【００２２】
釣り針１において、第１の糸取付部４１は、基部において、針先側に向けて凸環状に設けられている。また、第２の糸取付部５１は、基部の後端部の周囲にわたって環状に設けられている。これら糸取付部の向きや形状は例示であって、本考案の釣り針においては、糸取付部の向きや形状は糸が取り付けられる向きや形状であれば特に限定されない。
【００２３】
糸取付部の形状は、例えば、環状、凹状、凸状などの形状であり得る。また、基部に設けられた２個以上の糸取付部の形状は、それぞれ独立して別個の形状であり得る。さらに糸取付部は、基部において、針先側に設けられてもよく、針先側と反対の基部の背側に設けられてもよく、基部の周囲にわたって設けられてもよい。
【００２４】
例えば、図２は釣り針１の正面図を表わすところ、第２の糸取付部５１は基部３０及び針先１１と同一平面上の向きで設けられる。それに対して、図３は本考案の釣り針の別の態様の正面図を表わすところ、第２の糸取付部５２は、基部３０及び針先１１の間で形成される平面と垂直方向の向きで設けられる。
【００２５】
図１では第１の糸取付部４１は基部３０において針先１１側に突起するように設けられている。これに対して、図４には本考案の釣り針の別の態様を示すところ、第１の糸取付部４２は基部３０において針先１１側とは反対の基部３０の背側に設けられている。
【００２６】
糸取付部は、図１及び図４に示すように凸環状であってもよいが、これ以外の形状であってもよい。例えば、図５〜８は本考案の釣り針の別の態様を示すところ、図５及び図６に示す第１の糸取付部４３及び４４のように基部３０の針先１１側又は背側に設けられた凸状であってもよく、図７及び図８に示す第１の糸取付部４５のように基部３０の周囲にわたって設けられた凸状であってもよい。
【００２７】
本考案の釣り針に釣り糸を取り付ける方法について、図１を参照して説明する。釣り針１において、釣り糸１００は第１の糸取付部４１及び第２の糸取付部５１に取り付けられる。釣り糸１００を、第２の糸取付部５１の環内に通し、次いで第１の糸取付部４１の環内に通した後、釣り糸の１００の先端を第１の糸取付部４１に結びつける。ただし、釣り糸１００は、釣り糸に張力がかかったときにこれらの糸取付部に少なくとも接している状態にあればよく、糸取付部又はその周辺に釣り糸が固定又は固着されていなくともよい。例えば、釣り糸１００を、第２の糸取付部５１の環内に通し、次いで第１の糸取付部４１の環内に通した後、第１の糸取付部４１及び第２の糸取付部５１の間で、又は第２の糸取付部５１の上方側で釣り糸１００を結ぶことができる。釣り糸１００は、第２の糸取付部５１の環内を通っていればよく、第２の糸取付部５１に固定されていないことが好ましい。
【００２８】
図５及び図６に示す態様の釣り針１の場合、釣り糸１００を第２の糸取付部５２の環内に通した後、第１の糸取付部４３又は第１の糸取付部４４の下方側の基部３０に釣り糸１００の先端を結びつける。
【００２９】
釣り糸を糸取付部に結びつける際に、例えば、図７及び図８に示す態様のように、第１の糸取付部４５の下方側で釣り糸１００の先端を巻きつけて接着剤等を用いて固着してもよい。
【００３０】
本考案の釣り針は、上記した構造をとるものであれば特に限定されず、本考案の課題を解決し得る限り種々の改変が可能である。例えば、釣り針のサイズ、径及び材質；先端部のサイズ及び位置；針先や返しのサイズ及び形状；フック部のサイズ及び略Ｕ字の深さなどについては、目的とする魚の種類や大きさによって当業者に知られるとおりに適宜設定できる。また、本考案の釣り針は２個以上を組み合わせたものであることが好ましい。例えば、図９に、先端部及びフック部がそれぞれ３個ある３本釣り針２を示す。
【００３１】
釣り針を飲み込んだ魚が釣り針を離そうとして、針先に負荷がかかった場合に、通常の釣り針であれば、針先と反対側、すなわち、釣り針の基部の背側に力がかかり、針が動くために、魚のバラシが生じる。しかし、本考案の釣り針を用いれば、第１の糸取付部を支点として、第２の糸取付部に力を加えることにより、針先に作用することができ、結果として針先にかかった魚の力を削ぐことができ、魚のバラシを防ぐことができる。
【符号の説明】
【００３２】
１  釣り針
２  ３本釣り針
１０  先端部
１１  針先
１２  返し
２０  フック部
３０  基部
４１  第１の糸取付部（第１の態様）
４２  第１の糸取付部（第２の態様）
４３  第１の糸取付部（第３の態様）
４４  第１の糸取付部（第４の態様）
４５  第１の糸取付部（第５の態様）
５１  第２の糸取付部（第１の態様）
５２  第２の糸取付部（第２の態様）
１００  釣り糸
Ａ  第１の糸取付部の中心点
Ｂ  第２の糸取付部の中心点
Ｃ  フック部の下端点
【図１】
0003202867.tif 000003
【図２】
0003202867.tif 000004
【図３】
0003202867.tif 000005
【図４】
0003202867.tif 000006
【図５】
0003202867.tif 000007
【図６】
0003202867.tif 000008
【図７】
0003202867.tif 000009
【図８】
0003202867.tif 000010
【図９】
0003202867.tif 000011